(57)【特許請求の範囲】
【請求項１】
表示装置の輝度を制御する輝度制御信号を出力する画像処理装置であって、
第１の明るさ情報を取得するセンサと、
第２の明るさ情報を受信する受信手段と、
前記第１の明るさ情報と、前記第２の明るさ情報とに基づいて補正係数を算出する補正係数算出手段と、
前記第１の明るさ情報と、前記補正係数とに基づいてパラメータを算出するパラメータ算出手段と、
前記パラメータに対応する輝度値に応じて輝度制御信号を制御する制御手段と、
前記輝度制御信号を出力する出力手段と、
前記補正係数を記憶する記憶手段と、
を具備し、
前記センサは、前記表示装置の表示パネルと同じ向きから受光した光に応じて前記第１の明るさ情報を取得し、
前記受信手段は、前記表示装置の前記表示パネルと対向する向きから受光した光に応じて算出された前記第２の明るさ情報を取得し、
前記パラメータ算出手段は、前記第２の明るさ情報が前記受信手段により受信されなかった場合、前記記憶手段に記憶されている前記補正係数と、前記第１の明るさ情報と、に基づいて前記パラメータを算出する、
画像処理装置。
【請求項２】
前記補正係数算出手段は、前記第１の明るさ情報と、前記第２の明るさ情報との比に基づいて前記補正係数を算出し、
前記パラメータ算出手段は、前記第１の明るさ情報と、前記補正係数とを乗算し、前記パラメータを算出する、
請求項１に記載の画像処理装置。
【請求項３】
前記制御手段は、前記表示装置の表示パネルに映像を表示させる為の映像信号を受信し、前記パラメータに対応する輝度値に応じて前記輝度制御信号と、前記映像信号とを制御する、請求項１に記載の画像処理装置。
【請求項４】
前記受信手段は、前記表示装置の前記表示パネルを含む範囲から撮像された画像の中の、前記表示パネルを含まない領域の画像から算出された前記第２の明るさ情報を取得する、請求項１に記載の画像処理装置。
【請求項５】
表示装置の輝度を制御する輝度制御信号を出力する画像処理装置と通信を行なう通信手段と、画像を取得する画像取得手段と、を備える遠隔操作装置において実行される制御プログラムであって、
前記制御プログラムは、前記遠隔操作装置を、
前記画像取得手段により取得された画像から、前記表示装置の表示パネルを含まない領域を抽出する領域抽出手段と、
前記抽出された領域の画像から明るさ情報を算出する明るさ情報算出手段と、
前記明るさ情報を前記通信手段により前記画像処理装置に送信させるように制御する制御手段と、
して動作させる制御プログラム。
【請求項６】
表示装置の輝度を制御する輝度制御信号を出力する画像処理装置の制御方法であって、
前記表示装置の表示パネルと同じ向きから受光した光に応じて第１の明るさ情報を取得し、
前記表示装置の前記表示パネルと対向する向きから受光した光に応じて算出された第２の明るさ情報を取得し、
前記第１の明るさ情報と、前記第２の明るさ情報とに基づいて補正係数を算出し、
前記補正係数を記憶し、
前記第２の明るさ情報が前記受信手段により受信されなかった場合、前記第１の明るさ情報と、記憶された前記補正係数とに基づいてパラメータを算出し、
前記パラメータに対応する輝度値に応じて輝度制御信号を制御し、
前記輝度制御信号を出力する、
画像処理装置の制御方法。
【発明の詳細な説明】
【技術分野】
【０００１】
本発明の実施形態は、画像処理装置、制御プログラム、及び画像処理装置の制御方法に関する。
【背景技術】
【０００２】
従来、映画、テレビ番組、またはゲームなどの映像コンテンツを再生することができる例えば画像処理装置などの電子機器が一般的に普及している。
【０００３】
画像処理装置は、マトリクス状に配列された複数の画素を備える液晶表示パネルと、この液晶パネルを照明するバックライトとを備える液晶表示装置に映像信号及び輝度制御信号を出力する。液晶表示装置は、映像信号に応じて液晶表示パネルの各画素毎に電圧を印加することにより、各画素の階調を制御する。また、液晶表示装置は、輝度制御信号に応じて、バックライトの輝度を制御する。これにより、画像処理装置は、液晶表示装置に映像を表示させることができる。
【０００４】
画像処理装置は、例えば、照度センサ、またはカラーセンサなどのセンサを備える。画像処理装置は、センサにより画像処理装置が設置されている部屋の明るさの情報を取得し、取得した明るさ情報に応じて映像の明るさなどの画質を制御する。センサは、例えば、画像処理装置または液晶表示装置などの前面に搭載されている。これにより、センサは、画像処理装置または液晶表示装置から見た視聴者側の（明るさ）情報を取得している。
【先行技術文献】
【特許文献】
【０００５】
【特許文献１】特開２０１０−１２２２５１号公報
【発明の概要】
【発明が解決しようとする課題】
【０００６】
しかし、視聴者は、液晶表示装置の方を向いている。この為、画像処理装置は、視聴者から液晶表示装置を見た場合の明るさ情報に応じて映像の明るさなどの画質を制御する必要がある。
【０００７】
例えば、リモートコントローラにセンサを取り付けることにより、液晶表示装置側の明るさ情報を取得することが考えられる。しかし、部屋の明るさは逐次変化する為、適切な明るさに制御する為に、リモートコントローラ側から常に明るさ情報を取得する必要がある。この為、リモートコントローラが常に液晶表示装置の方向に向けられる必要があるという課題がある。また、リモートコントローラにより常に明るさ情報を取得する為、リモートコントローラにおける電力の消費が大きくなるという課題がある。
【０００８】
そこで、より簡易な処理で明るさを制御することができる画像処理装置、制御プログラム、及び画像処理装置の制御方法を提供することを目的とする。
【課題を解決するための手段】
【０００９】
一実施形態に係る画像処理装置は、表示装置の輝度を制御する輝度制御信号を出力する画像処理装置であって、第１の明るさ情報を取得するセンサと、第２の明るさ情報を受信する受信手段と、前記第１の明るさ情報と、前記第２の明るさ情報とに基づいて補正係数を算出する補正係数算出手段と、前記第１の明るさ情報と、前記補正係数とに基づいてパラメータを算出するパラメータ算出手段と、前記パラメータに対応する輝度値に応じて輝度制御信号を制御する制御手段と、前記輝度制御信号を出力する出力手段と、前記補正係数を記憶する記憶手段と、を具備し、前記センサは、前記表示装置の表示パネルと同じ向きから受光した光に応じて前記第１の明るさ情報を取得し、前記受信手段は、前記表示装置の前記表示パネルと対向する向きから受光した光に応じて算出された前記第２の明るさ情報を取得し、前記パラメータ算出手段は、前記第２の明るさ情報が前記受信手段により受信されなかった場合、前記記憶手段に記憶されている前記補正係数と、前記第１の明るさ情報と、に基づいて前記パラメータを算出する。
【図面の簡単な説明】
【００１０】
【図１】図１は、一実施形態に係る画像処理装置について説明する為の図である。
【図２】図２は、一実施形態に係る画像処理装置について説明する為の図である。
【図３】図３は、一実施形態に係る画像処理装置について説明する為の図である。
【図４】図４は、一実施形態に係る画像処理装置について説明する為の図である。
【図５】図５は、一実施形態に係る画像処理装置について説明する為の図である。
【図６】図６は、一実施形態に係る画像処理装置について説明する為の図である。
【図７】図７は、一実施形態に係る画像処理装置について説明する為の図である。
【発明を実施するための形態】
【００１１】
以下、図を参照しながら、一実施形態に係る画像処理装置、制御プログラム、及び画像処理装置の制御方法について詳細に説明する。
【００１２】
図１は、一実施形態に係る画像処理装置としての放送受信装置１００の外観の例を示す。  
放送受信装置１００は、映像を表示するディスプレイ（表示部４００）が設けられる本体１０１と、この本体１０１を自立可能な状態で支える脚部１０２とを供える。
【００１３】
本体１０１には、リモートコントローラなどから発せられた操作信号を受け取る通信部１６１と、明るさ情報を取得する画像取得部１７２とが設けられている。
【００１４】
図２は、放送受信装置１００の例を示す。  
また、放送受信装置１００は、放送入力端子１１０、受信部１１１、復元部１１２、通信インターフェース１１４、音声処理部１２１、映像処理部１３１、表示処理部１３３、制御部１５０、通信部１６１、カードコネクタ１６４、ＵＳＢコネクタ１６６、ディスクドライブ１７０、ＬＡＮコネクタ１７１、画像取得部１７２、電源制御部１８０、及びストレージ１９０を備える。また、放送受信装置１００は、さらにスピーカ３００及びディスプレイ４００を備える。
【００１５】
放送入力端子１１０は、例えばアンテナ２００により受信されるディジタル放送信号が入力される入力端子である。アンテナ２００は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。即ち、放送入力端子１１０には、放送信号により供給される番組などのコンテンツが入力される。
【００１６】
放送入力端子１１０は、受信したディジタル放送信号を受信部１１１に供給する。受信部１１１は、ディジタル放送信号用の受信部である。受信部１１１は、アンテナ２００から供給されるディジタル放送信号のチューニング（選局）を行う。受信部１１１は、チューニングしたディジタル放送信号を復元部１１２に送信する。受信部１１１は、放送入力端子１１０または通信インターフェース１１４から供給される信号がアナログ信号である場合は、ディジタル信号に変換する。
【００１７】
復元部１１２は、受信するディジタル放送信号の復調を行う。さらに、復元部１１２は、復調したディジタル放送信号（コンテンツ）に対して信号処理を施す。これにより、復元部１１２は、ディジタル放送信号から映像信号、音声信号、及びその他のデータ信号を復元する。例えば、復元部１１２は、ディジタル放送信号から映像信号、音声信号、及びその他のデータ信号などが重畳されたトランスポートストリーム（ＴＳ）を復元する。
【００１８】
復元部１１２は、音声処理部１２１に音声信号を供給する。また、復元部１１２は、映像処理部１３１に映像信号を供給する。さらに、復元部１１２は、制御部１５０にデータ信号を供給する。即ち、アンテナ２００、受信部１１１、及び復元部１１２は、コンテンツを受信する受信手段として機能する。
【００１９】
通信インターフェース１１４は、例えばＨＤＭＩ（High Definition Multimedia Interface）（登録商標）端子、オーディオ入力端子、Ｓ映像端子、コンポーネント映像端子、Ｄ映像端子、Ｄ−Ｓｕｂ端子、及びＤＶＩ−Ｉ端子などのコンテンツを受信可能なインターフェースのうちのいずれか、または複数を備える。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を受信部１１１に供給する。通信インターフェース１１４は、他の機器から受信したコンテンツを復元部１１２に供給する。即ち、通信インターフェース１１４は、コンテンツを受信する受信手段として機能する。
【００２０】
復元部１１２は、通信インターフェース１１４から受信部１１１経由で供給されたコンテンツに信号処理を施す。例えば、復元部１１２は、ディジタル信号をディジタル映像信号とディジタル音声信号とデータ信号とに分離する。復元部１１２は、音声処理部１２１にディジタル音声信号を供給する。また、復元部１１２は、映像処理部１３１にディジタル映像信号を供給する。さらに、復元部１１２は、制御部１５０にコンテンツに関する他の情報を供給する。
【００２１】
またさらに、復元部１１２は、制御部１５０の制御に基づいてコンテンツを後述するストレージ１９０に供給する。ストレージ１９０は、供給されたコンテンツを記憶する。これにより、放送受信装置１００は、コンテンツを録画することができる。
【００２２】
音声処理部１２１は、復元部１１２から受信したディジタル音声信号を、スピーカ３００により再生可能なフォーマットの信号（オーディオ信号）に変換する。音声処理部１２１は、オーディオ信号をスピーカ３００に供給する。スピーカ３００は、供給されるオーディオ信号に基づいて音を再生する。
【００２３】
映像処理部１３１は、復元部１１２から受信したディジタル映像信号を、ディスプレイ４００で再生可能なフォーマットの映像信号に変換する。即ち、映像処理部１３１は、復元部１１２から受信した映像信号を、ディスプレイ４００で再生可能なフォーマットの映像信号にデコード（再生）する。また、映像処理部１３１は、図示しないＯＳＤ処理部から供給されるＯＳＤ信号を映像信号に重畳する。映像処理部１３１は、映像信号を表示処理部１３３に出力する。
【００２４】
ＯＳＤ処理部は、復元部１１２から供給されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。ＯＳＤ処理部は、個別にモジュールとして放送受信装置１００内に設けられていてもよいし、制御部１５０の機能として設けられていてもよい。
【００２５】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に供給する。ディスプレイ４００は、供給される映像信号に基づいて映像を表示する。
【００２６】
また、表示処理部１３３は、輝度制御信号を生成する。表示処理部１３３は、例えば、受信した映像信号の明るさ、及び制御部１５０からの制御に基づいて、輝度制御信号を生成する。表示処理部１３３は、輝度制御信号により、ディスプレイ４００のバックライトの輝度を制御する。これにより、放送受信装置１００は、ディスプレイ４００の輝度を適宜制御することができる。
【００２７】
ディスプレイ４００は、例えば、マトリクス状に配列された複数の画素を備える液晶表示パネルと、この液晶パネルを照明するバックライトとを備える液晶表示装置などを備える。ディスプレイ４００は、放送受信装置１００から供給される映像信号に基づいて映像を表示する。
【００２８】
なお、放送受信装置１００は、ディスプレイ４００の代わりに、映像出力端子を備える構成であってもよい。また、放送受信装置１００は、スピーカ３００の代わりに、音声出力端子を備える構成であってもよい。この場合、放送受信装置１００は、映像出力端子に接続される表示装置に映像信号及び輝度制御信号を出力し、音声出力端子に接続されるスピーカに音声信号を出力する。これにより、放送受信装置１００は、表示装置に映像を表示させ、スピーカから音声を出力させることができる。
【００２９】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、通信部１６１または図示しない操作部などから供給される操作信号に基づいて、種々の処理を行う。
【００３０】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３１】
ＲＯＭ１５２は、放送受信装置１００を制御する為のプログラム、及び各種の機能を実現する為のプログラムなどを記憶する。ＣＰＵ１５１は、通信部１６１から供給される操作信号に基づいて、ＲＯＭ１５２に記憶されているプログラムを起動する。これにより、制御部１５０は、各部の動作を制御する。
【００３２】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３３】
ＥＥＰＲＯＭ１５４は、各種の設定情報、及びプログラムなどを記憶する不揮発性メモリである。
【００３４】
通信部１６１は、例えば、リモートコントローラ１６３からの操作信号を無線通信により受信するセンサなどを備える。また、通信部１６１は、他の操作モジュールとしての操作キー、キーボード、マウス、音声入力装置、またはタッチパッドなどから供給される信号を受信する構成であってもよい。またさらに、通信部１６１は、リモートコントローラ１６３または他のモジュールに無線通信により信号を送信する構成であってもよい。即ち、通信部１６１は、操作信号、または他の情報などを送受信する通信手段として機能する。
【００３５】
通信部１６１は、入力された操作信号を制御部１５０に供給する。制御部１５０は、通信部１６１から供給された操作信号に基づいて、放送受信装置１００に種々の処理を行わせる。
【００３６】
なお、タッチパッドは、静電センサ、サーモセンサ、または他の方式に基づいて位置情報を生成するデバイスを含む。また、放送受信装置１００がディスプレイ４００を備える場合、通信部１６１は、ディスプレイ４００と一体に形成されるタッチパネルなどから信号を受信する構成であってもよい。
【００３７】
リモートコントローラ１６３は、ユーザの操作入力に基づいて操作信号を生成する。リモートコントローラ１６３は、生成した操作信号を赤外線通信により通信部１６１のセンサに送信する。なお、センサとリモートコントローラ１６３とは、電波などの他の無線通信により操作信号の送受信を行う構成であってもよい。
【００３８】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３９】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００４０】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００４１】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００４２】
ディスクドライブ１７０は、例えば、コンパクトディスク（ＣＤ）、ディジタルバーサタイルディスク（ＤＶＤ）、ブルーレイディスク（Ｂｌｕ−ｒａｙ  Ｄｉｓｋ（登録商標））、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００４３】
ＬＡＮコネクタ１７１は、放送受信装置１００をネットワークに接続する為のインターフェースである。制御部１５０は、ＬＡＮコネクタ１７１がＬＡＮケーブルまたは無線ＬＡＮなどにより公衆回線に接続された場合、ネットワーク経由で種々のデータのダウンロード及びアップロードを行なう事ができる。
【００４４】
電源制御部１８０は、放送受信装置１００の各部への電力の供給を制御する。電源制御部１８０は、例えば、ＡＣアダプタなどを介して商用電源５００などから電力を受け取る。商用電源５００は、交流の電力を電源制御部１８０に供給する。電源制御部１８０は、受け取った交流の電力を直流に変換し各部へ供給する。
【００４５】
また、放送受信装置１００は、さらに他のインターフェースを備えていても良い。インターフェースは、例えば、Ｓｅｒｉａｌ−ＡＴＡなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００４６】
また、放送受信装置１００がインターフェースを介してネットワークに接続される場合、放送受信装置１００は、ネットワーク上の動画のコンテンツデータを取得し、再生することができる。
【００４７】
ストレージ１９０は、コンテンツなどを記憶する記憶装置である。ストレージ１９０は、例えば、ハードディスク（ＨＤＤ）、ソリッドステイトドライブ（ＳＳＤ）、または半導体メモリなどの大容量記憶装置を備える。また、ストレージ１９０は、ＵＳＢコネクタ１６６、ＬＡＮコネクタ１７１、通信インターフェース１１４、または他のインターフェースに接続された記憶装置により構成されていてもよい。
【００４８】
上記したように、制御部１５０は、コンテンツを録画する場合、復元部１１２により復調されたコンテンツのデータをストレージ１９０に入力させる。さらに、制御部１５０は、コンテンツを記憶するストレージ１９０内のアドレスをストレージ１９０に指示する。ストレージ１９０は、制御部１５０により指示されたアドレスに復元部１１２から供給されたコンテンツを記憶する。
【００４９】
なお、ストレージ１９０は、ディジタル放送信号から復元されたＴＳを記憶する構成であってもよいし、ＴＳがＡＶＩ、ＭＰＥＧまたは他の圧縮方式により圧縮された圧縮コンテンツを記憶する構成であってもよい。
【００５０】
また、制御部１５０は、ストレージ１９０に記憶されているコンテンツを読み出し、再生させることができる。例えば、制御部１５０は、ストレージ１９０におけるアドレスをストレージ１９０に指示する。ストレージ１９０は、制御部１５０により指示されたアドレスからコンテンツを読み出す。ストレージ１９０は、読み出したコンテンツを音声処理部１２１、映像処理部１３１、及び制御部１５０などに供給する。これにより、放送受信装置１００は、録画したコンテンツを再生することができる。
【００５１】
なお、放送受信装置１００は、受信部１１１及び復元部１１２をそれぞれ複数備える。これにより、放送受信装置１００は、複数のコンテンツを同時に受信し、受信した複数のコンテンツを同時に復元することができる。これにより、放送受信装置１００は、再生可能なコンテンツデータを同時に複数取得することが出来る。即ち、放送受信装置１００は、複数のコンテンツを同時に録画することが出来る。
【００５２】
画像取得部１７２は、ディスプレイ４００側に搭載されたセンサを備える。画像取得部１７２は、例えば、ＣＣＤセンサ、ＣＭＯＳセンサ、フォトダイオード、または明るさを検出することができる他のセンサを備える。画像取得部１７２は、所定の範囲から光を受光し、受光した光を電気信号に変換することにより、明るさを示す明るさ情報（第１の明るさ情報ＬＴ）を取得する。画像取得部１７２は、取得した第１の明るさ情報ＬＴを制御部１５０に供給する。
【００５３】
例えば、画像取得部１７２は、所定の範囲から画像を取得し、取得した画像の画素の値に基づいて第１の明るさ情報ＬＴを算出する。また、例えば、画像取得部１７２は、受光した光に応じて１つの値を算出することにより、第１の明るさ情報ＬＴを算出する構成であってもよい。例えば、画像取得部１７２は、図１に示されるように、ディスプレイ４００と同様に、本体１０１の前面に設置される。この場合、画像取得部１７２は、ディスプレイ４００から見てユーザ側の明るさを示す明るさ情報を取得することができる。即ち、画像取得部１７２は、表示装置の表示パネルと同じ向きから受光した光に応じて第１の明るさ情報を取得する。
【００５４】
図３は、リモートコントローラ１６３の例を示す。  
リモートコントローラ１６３は、上記したように、ユーザの操作入力に基づいて操作信号を生成し、放送受信装置１００に供給する。さらに、リモートコントローラ１６３は、第２の明るさ情報ＬＨを取得し、放送受信装置１００に供給する。
【００５５】
例えば、リモートコントローラ１６３は、制御部１６３１、画像取得部１６３２、明るさ算出部１６３３、及び通信部１６３４を備える。またさらに、リモートコントローラ１６３は、リモートコントローラ１６３を操作するユーザによる操作が入力される操作部を備えていてもよい。
【００５６】
制御部１６３１は、画像取得部１６３２、明るさ算出部１６３３、及び通信部１６３４の動作を制御する。制御部１６３１は、操作入力に応じて各部の動作を制御する。また、制御部１６３１は、通信部１６３４により放送受信装置１００から受け取る制御信号に応じて、各部の動作を制御する構成であってもよい。
【００５７】
画像取得部１６３２は、例えば、ＣＣＤセンサ、ＣＭＯＳセンサ、フォトダイオード、または明るさを検出することができる他のセンサを備える。画像取得部１６３２は、所定の範囲から光を受光し、受光した光を電気信号に変換する。画像取得部１６３２は、電気信号を明るさ算出部１６３３に供給する。
【００５８】
明るさ算出部１６３３は、画像取得部１６３２から供給された電気信号に応じて明るさを示す明るさ情報（第２の明るさ情報ＬＨ）を算出する。明るさ算出部１６３３は、算出した第２の明るさ情報ＬＨを通信部１６３４に供給する。
【００５９】
通信部１６３４は、第２の明るさ情報ＬＨを放送受信装置１００に送信する。例えば、通信部１６３４は、無線通信により放送受信装置１００の通信部１６１に第２の明るさ情報ＬＨを送信する。通信部１６１は、受け取った第２の明るさ情報ＬＨを制御部１５０に供給する。
【００６０】
例えば、画像取得部１６３２は、所定の範囲から画像を取得する。明るさ算出部１６３３は、取得した画像の画素の値に基づいて第２の明るさ情報ＬＨを算出する。
【００６１】
例えば、画像取得部１６３２は、図４に示されるような画像を取得する。リモートコントローラ１６３は、通常ディスプレイ４００に対向するように使用される可能性が高い。この為、リモートコントローラ１６３に設置された画像取得部１６３２は、ディスプレイ４００と、その周辺の領域から光を受光し、画像を取得することが出来る。即ち、画像取得部１６３２は、視聴者側から見てディスプレイ４００側の画像を取得することができる。
【００６２】
例えば、明るさ算出部１６３３は、画像取得部１６３２から供給された画像の各画素の値の平均値を第２の明るさ情報ＬＨとして算出する。また、明るさ算出部１６３３は、画像取得部１６３２から供給された画像の各画素の値の中間値を第２の明るさ情報ＬＨとして算出する構成であってもよい。また、明るさ算出部１６３３は、画像取得部１６３２から供給された画像のヒストグラムを算出し、算出したヒストグラムに応じて第２の明るさ情報ＬＨを算出する構成であってもよい。またさらに、明るさ算出部１６３３は、他の手法により画像から第２の明るさ情報ＬＨを算出する構成であってもよい。
【００６３】
上記したように、リモートコントローラ１６３は、表示装置の表示パネルと対向する向きから受光した光に応じて第２の明るさ情報を算出することができる。
【００６４】
またさらに、明るさ算出部１６３３は、画像取得部１６３２から供給された画像の中の所定の範囲内の画素の値に基づいて第２の明るさ情報ＬＨを算出する構成であってもよい。この為に、明るさ算出部１６３３は、画像取得部１６３２から供給された画像を複数の領域に分割する。
【００６５】
図５は、画像取得部１６３２から供給された画像を複数の領域に分割する例を示す。明るさ算出部１６３３は、例えば、図５に示されるように、放送受信装置１００のディスプレイ４００の領域と、それ以外の領域とで分割する。なお、画像取得部１６３２から供給された画像内のディスプレイ４００を含まない領域を第１の領域とし、ディスプレイ４００の領域を第２の領域とする。
【００６６】
明るさ算出部１６３３は、例えば、ディスプレイ４００に表示されたパターンに基づいて第２の領域を認識する。この場合、放送受信装置１００は、所定のテストパターンをディスプレイ４００に表示させる。明るさ算出部１６３３は、所定のテストパターンを画像中から認識することにより、第２の領域を認識することが出来る。
【００６７】
また、明るさ算出部１６３３は、画像中の所定の明るさ以上の領域を第２の領域として認識する構成であってもよい。また、予めディスプレイ４００の明るさがわかっている場合、明るさ算出部１６３３は、画像中の所定の明るさの領域を第２の領域として認識する構成であってもよい。
【００６８】
例えば、明るさ算出部１６３３は、第１の領域内の画素の値に基づいて上記の方法により第２の明るさ情報ＬＨを算出する。これにより、ディスプレイ４００の明るさが第２の明るさ情報ＬＨに影響を与えることを防ぐことが出来る。即ち、明るさ算出部１６３３は、表示装置の表示パネルを含む範囲から撮像された画像の中の、表示パネルを含まない領域を抽出し、抽出した領域の画像から第２の明るさ情報を算出することができる。
【００６９】
なお、明るさ算出部１６３３は、窓枠、または照明器具などが映りこんだ範囲をさらに第２の領域として分割する構成であってもよい。これにより、極端に明るい要素が第２の明るさ情報ＬＨに影響を与えることを防ぐことが出来る。
【００７０】
また、制御部１６３１は、操作入力に応じて第２の明るさ情報ＬＨを算出する処理を行う。即ち、制御部１６３１は、操作に応じて画像取得部１６３２により画像を取得させる。明るさ算出部１６３３は、画像取得部１６３２により取得した画像に基づいて第２の明るさ情報ＬＨを算出する。
【００７１】
放送受信装置１００の制御部１５０は、画像取得部１７２から供給された第１の明るさ情報ＬＴと、通信部１６１から供給された第２の明るさ情報ＬＨと、を表示処理部１３３に供給する。
【００７２】
表示処理部１３３は、制御部１５０からの制御、第１の明るさ情報ＬＴ、及び第２の明るさ情報ＬＨに基づいて、映像信号の調整、及び輝度制御信号の制御を行う。
【００７３】
図６は、表示処理部１３３の例を示す。  
表示処理部１３３は、画質制御部１３３１、パラメータ算出部１３３２、及びメモリ１３３３を備える。
【００７４】
画質制御部１３３１は、パラメータ算出部１３３２から出力されるパラメータＰ、及び制御部１５０から供給される制御信号に基づいて、映像処理部１３１から供給される映像信号の画質を制御する。例えば、画質制御部１３３１は、映像信号の色味、明るさ、シャープ、コントラスト、またはその他の画質調整処理を行う。
【００７５】
また、画質制御部１３３１は、パラメータＰ、制御信号、及び映像信号に基づいて、輝度制御信号を生成する。なお、画質制御部１３３１は、輝度制御信号が映像処理部１３１から供給される場合、パラメータＰ、制御信号、及び映像信号に基づいて、輝度制御信号を調整する。
【００７６】
パラメータ算出部１３３２は、第１の明るさ情報ＬＴと第２の明るさ情報ＬＨとに基づいてパラメータＰを算出する。パラメータ算出部１３３２は、算出したパラメータＰを画質制御部１３３１に供給する。
【００７７】
メモリ１３３３は、パラメータＰと、輝度制御信号を生成または調整する為の値（輝度値）とを対応付けて記憶する。メモリ１３３３は、画質制御部１３３１からパラメータＰの値を受け取った場合、パラメータＰに対応する輝度値を画質制御部１３３１に供給する。
【００７８】
画質制御部１３３１は、メモリ１３３３から供給された輝度値に応じて、輝度制御信号を生成する。また、上記したように、画質制御部１３３１は、メモリ１３３３から供給された輝度値に応じて、映像処理部１３１から供給される輝度制御信号を調整する構成であってもよい。画質制御部１３３１は、輝度制御信号を出力する。これにより、放送受信装置１００は、輝度制御信号をディスプレイ４００に供給する。
【００７９】
図７は、パラメータ算出部１３３２の処理の例を示す。  
パラメータ算出部１３３２は、第１の明るさ情報ＬＴと、第２の明るさ情報ＬＨと、を受け取る。パラメータ算出部１３３２は、受け取った第１の明るさ情報ＬＴ及び第２の明るさ情報ＬＨに基づいて、パラメータＰを算出する。具体的には、パラメータ算出部１３３２は、第１の明るさ情報ＬＴ及び第２の明るさ情報ＬＨに基づいて補正係数Ｍを算出し、この補正係数Ｍにより第１の明るさ情報ＬＴを補正し、パラメータＰを算出する。
【００８０】
パラメータ算出部１３３２は、ブロックＢ１１で、補正係数Ｍの初期値としてＭ＝１を設定する。パラメータ算出部１３３２は、この補正係数Ｍを格納する為のメモリなどを備える。パラメータ算出部１３３２は、このメモリに補正係数Ｍの値として「１」を格納する。
【００８１】
パラメータ算出部１３３２は、ブロックＢ１２で、第１の明るさ情報ＬＴを取得する。パラメータ算出部１３３２は、ブロックＢ１３で、第２の明るさ情報ＬＨの供給の有無を判定する。
【００８２】
第２の明るさ情報ＬＨが供給されていると判定した場合、パラメータ算出部１３３２は、ブロックＢ１４で、第２の明るさ情報ＬＨを取得する。これにより、パラメータ算出部１３３２は、第１の明るさ情報ＬＴと、第２の明るさ情報ＬＨとを取得することができる。
【００８３】
パラメータ算出部１３３２は、ブロックＢ１５で、第１の明るさ情報ＬＴにより第２の明るさ情報ＬＨを除算することにより補正係数Ｍを算出する。即ち、補正係数Ｍは、例えばＭ＝ＬＨ／ＬＴにより算出される。パラメータ算出部１３３２は、算出した補正係数Ｍの値として「ＬＨ／ＬＴ」を上記のメモリに格納する。これにより、補正係数Ｍの値が新たに設定される。
【００８４】
パラメータ算出部１３３２は、ブロックＢ１６で、補正係数Ｍと第１の明るさ情報ＬＴとを用いてパラメータＰを算出する。パラメータＰは、例えばＰ＝Ｍ×ＬＴにより算出される。パラメータ算出部１３３２は、算出したパラメータＰを画質制御部１３３１に供給する。さらに、パラメータ算出部１３３２はブロックＢ１２の処理に移行する。
【００８５】
即ち、パラメータ算出部１３３２は、ディスプレイ４００からユーザ側に向けられた画像取得部１７２により取得された第１の明るさ情報ＬＴと、ユーザ側からディスプレイ４００に向けられた画像取得部１６３２により取得された第２の明るさ情報ＬＨと、の比に基づいて、パラメータＰを算出する。第１の明るさ情報ＬＴと第２の明るさ情報ＬＨとの比は、ディスプレイ４００が設置されている部屋の明るさの特性を示す。
【００８６】
また、パラメータ算出部１３３２は、上記の処理により算出された補正係数Ｍを用いて複数フレーム分の輝度制御信号を生成または調整することが出来る。この結果、第２の明るさ情報が逐次入力されていない場合であっても、画質制御部１３３１は、部屋の明るさの特性に応じて輝度制御信号の生成または調整を行うことができる。即ち、部屋の明るさが時間の経過などにより変化する場合であっても、リモートコントローラ１６３から第２の明るさ情報ＬＨを受けることなく、輝度制御信号を制御することが出来る。
【００８７】
この結果、より簡易な処理で明るさを制御することができる画像処理装置、制御プログラム、及び画像処理装置の制御方法を提供することが出来る。
【００８８】
また、リモートコントローラ１６３は、第２の明るさ情報ＬＨを逐次取得及び送信する必要がなくなる。この為、リモートコントローラ１６３における電力の消費を抑えることが出来る。
【００８９】
また、ディスプレイ４００が設置されている部屋の明るさが、カーテンの開閉、照明器具の点灯などにより急に変化する場合がある。またさらに、ディスプレイ４００の背後に窓などが存在し、第１の明るさ情報ＬＴが第２の明るさ情報ＬＨより小さい場合などがある。このような場合、適切な明るさでディスプレイ４００の表示が行われていない可能性がある。
【００９０】
そこで、放送受信装置１００は、画像取得部１７２により逐次第１の明るさ情報ＬＴを取得し、第１の明るさ情報ＬＴが急に変化した場合、第２の明るさ情報ＬＨを取得するようディスプレイ４００に表示を行う構成であってもよい。この場合、ユーザは、表示を確認し、リモートコントローラ１６３を操作することにより、第２の明るさ情報ＬＨが再度放送受信装置１００に入力される。この結果放送受信装置１００は、変化後の部屋の明るさに応じて輝度制御信号を調整することが出来る。
【００９１】
また、放送受信装置１００は、第１の明るさ情報ＬＴが急に変化した場合、予め設定されたデフォルトの値に応じて輝度制御信号を調整する構成であってもよい。例えば、この場合、パラメータ算出部１３３２は、補正係数Ｍを初期値である「１」に設定し、設定した補正係数Ｍと第１の明るさ情報ＬＴとに基づいてパラメータＰを算出する。これにより、ディスプレイ４００の輝度が急激に変化することを防ぐことができる。
【００９２】
また、補正係数Ｍのデフォルトとしての値は、時間帯毎に設定されていてもよい。例えば、パラメータ算出部１３３２は、過去の補正係数Ｍの算出結果に基づいて、時間帯毎の補正係数Ｍの値を学習する構成であってもよい。これにより、パラメータ算出部１３３２は、部屋の明るさの特性を時間帯毎に学習することができる。この結果、表示処理部１３３は、より適切な輝度制御信号の値を算出することができる。
【００９３】
また、第１の明るさ情報ＬＴが第２の明るさ情報ＬＨより小さい場合も、放送受信装置１００は、予め設定されたデフォルトの値に応じて輝度制御信号を調整する構成であってもよい。これにより、ディスプレイ４００の輝度が急激に変化することを防ぐことができる。
【００９４】
なお、上記の実施形態では、リモートコントローラ１６３は、放送受信装置１００を操作する為の遠隔装置として説明したが、この構成に限定されない。リモートコントローラ１６３は、少なくとも、第２の明るさ情報ＬＨを取得するモジュールと、取得した第２の明るさ情報ＬＨを放送受信装置１００に送信するモジュールとを備えていれば、如何なるものにより構成されていてもよい。
【００９５】
例えば、リモートコントローラ１６３は、カメラ、赤外線通信、及び無線ＬＡＮなどの機能を備えた携帯電話または携帯情報端末などにより構成されていてもよい。
【００９６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００９７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９８】
１００…放送受信装置、１１０…放送入力端子、１１１…受信部、１１２…復元部、１１４…通信インターフェース、１２１…音声処理部、１３１…映像処理部、１３３…表示処理部、１５０…制御部、１５１…ＣＰＵ、１５２…ＲＯＭ、１５３…ＲＡＭ、１５４…ＥＥＰＲＯＭ、１６１…通信部、１６３…リモートコントローラ、１６４…カードコネクタ、１６５…メモリカード、１６６…ＵＳＢコネクタ、１６７…ＵＳＢ機器、１７０…ディスクドライブ、１７１…ＬＡＮコネクタ、１７２…画像取得部、１８０…電源制御部、１９０…ストレージ、２００…アンテナ、３００…スピーカ、４００…ディスプレイ、５００…商用電源、１３３１…画質制御部、１３３２…パラメータ算出部、１３３３…メモリ、１６３１…制御部、１６３２…画像取得部、１６３３…算出部、１６３４…通信部。
【図１】
0005221745.tif 000002
【図２】
0005221745.tif 000003
【図３】
0005221745.tif 000004
【図４】
0005221745.tif 000005
【図５】
0005221745.tif 000006
【図６】
0005221745.tif 000007
【図７】
0005221745.tif 000008